【手続補正書】
【提出日】令和3年9月14日(2021.9.14)
【手続補正１】
【補正対象書類名】明細書
【補正対象項目名】発明の名称
【補正方法】変更
【補正の内容】
【発明の名称】印刷装置、印刷支援方法およびプログラム
【手続補正２】
【補正対象書類名】明細書
【補正対象項目名】０００１
【補正方法】変更
【補正の内容】
【０００１】
本発明は、印刷装置、印刷支援方法およびプログラムに関する。
【手続補正３】
【補正対象書類名】明細書
【補正対象項目名】０００５
【補正方法】変更
【補正の内容】
【０００５】
本発明は、上記に鑑みてなされたものであって、印刷する際に複数行の文字列を揃え易くできるようにすることを目的とする。
【手続補正４】
【補正対象書類名】明細書
【補正対象項目名】０００６
【補正方法】変更
【補正の内容】
【０００６】
上記課題を解決するため、本発明に係る第１の態様の印刷装置は、印刷媒体との間の所定の方向への相対移動に伴なわせて前記所定の方向に沿った文字列を印刷可能な印刷装置であって、前記印刷媒体との間の相対的な移動距離を検出する検出部と、複数行の文字列を前記所定の方向に沿って行毎に印刷する場合に、隣接する文字列の行間距離を設定する設定部と、今回に印刷する行の文字列の後に印刷すべき次の行の文字列が存在する場合に、前記今回の行の文字列に対しての印刷終了に基づいたタイミングで、前記設定部により設定された前記行間距離に基づいた所定の情報を報知する第１報知部と、前記第１報知部により前記所定の情報が報知される場合であって、前記今回の行の文字列に対しての印刷が終了してからの前記検出部により検出される前記印刷媒体との間の行間方向における相対的な移動距離が、前記所定の情報に対応する距離に至った場合に、前記所定の情報に対応する距離に至ったことを報知する第２報知部と、を備え、前記所定の情報は、前記次の行の文字列を印刷するために前記印刷装置を前記行間方向へ移動させるべき距離に係る情報である、ことを特徴とする。
また、本発明に係る第２の態様の印刷装置は、印刷媒体との間の所定の方向への相対移動に伴なわせて前記所定の方向に沿った文字列を印刷可能な印刷装置であって、前記印刷媒体との間の相対的な移動距離を検出する検出部と、複数行の文字列を前記所定の方向に沿って行毎に印刷する場合に、隣接する文字列の行間距離及び文字列における文字サイズを設定する設定部と、今回に印刷する行の文字列の後に印刷すべき次の行の文字列が存在する場合に、前記今回の行の文字列に対しての印刷終了に基づいたタイミングで、前記設定部により設定された前記行間距離及び前記文字サイズに基づいた所定の情報を報知する第１報知部と、前記第１報知部により前記所定の情報が報知される場合であって、前記今回の行の文字列に対しての印刷が終了してからの前記検出部により検出される前記印刷媒体との間の行間方向における相対的な移動距離が、前記所定の情報に対応する距離に至った場合に、前記所定の情報に対応する距離に至ったことを報知する第２報知部と、を備え、前記所定の情報は、前記次の行の文字列を印刷するために前記印刷装置を前記行間方向へ移動させるべき距離に係る情報である、ことを特徴とする。
また、本発明に係る第３の態様の印刷装置は、印刷媒体との間の所定の方向への相対移動に伴なわせて前記所定の方向に沿った文字列を印刷可能な印刷装置であって、前記印刷媒体との間の相対的な移動距離を検出する検出部と、複数行の文字列を前記所定の方向に沿って行毎に印刷する場合に、文字列における文字サイズを設定する設定部と、今回に印刷する行の文字列の後に印刷すべき次の行の文字列が存在する場合に、前記今回の行の文字列に対しての印刷終了に基づいたタイミングで、前記設定部により設定された前記文字サイズに基づいた所定の情報を報知する第１報知部と、前記第１報知部により前記所定の情報が報知される場合であって、前記今回の行の文字列に対しての印刷が終了してからの前記検出部により検出される前記印刷媒体との間の行間方向における相対的な移動距離が、前記所定の情報に対応する距離に至った場合に、前記所定の情報に対応する距離に至ったことを報知する第２報知部と、を備え、前記所定の情報は、前記次の行の文字列を印刷するために前記印刷装置を前記複数行の文字列の前記行間方向へ移動させるべき距離に係る情報である、ことを特徴とする。
【手続補正５】
【補正対象書類名】明細書
【補正対象項目名】０００７
【補正方法】変更
【補正の内容】
【０００７】
また、本発明に係る第１の態様の印刷支援方法は、印刷媒体との間の所定の方向への相対移動に伴なわせて前記所定の方向に沿った文字列を印刷可能な印刷装置が実行する印刷支援方法であって、前記印刷媒体との間の相対的な移動距離を検出する検出処理と、複数行の文字列を前記所定の方向に沿って行毎に印刷する場合に、隣接する文字列の行間距離を設定する設定処理と、今回に印刷する行の文字列の後に印刷すべき次の行の文字列が存在する場合に、前記今回の行の文字列に対しての印刷終了に基づいたタイミングで、前記設定処理で設定された前記行間距離に基づいた所定の情報を報知する第１報知処理と、前記第１報知処理で前記所定の情報が報知される場合であって、前記今回の行の文字列に対しての印刷が終了してからの前記検出処理で検出される前記印刷媒体との間の行間方向における相対的な移動距離が、前記所定の情報に対応する距離に至った場合に、前記所定の情報に対応する距離に至ったことを報知する第２報知処理と、を含み、前記所定の情報は、前記次の行の文字列を印刷するために前記印刷装置を前記行間方向へ移動させるべき距離に係る情報である、ことを特徴とする。
また、本発明に係る第２の態様の印刷支援方法は、印刷媒体との間の所定の方向への相対移動に伴なわせて前記所定の方向に沿った文字列を印刷可能な印刷装置が実行する印刷支援方法であって、前記印刷媒体との間の相対的な移動距離を検出する検出処理と、複数行の文字列を前記所定の方向に沿って行毎に印刷する場合に、隣接する文字列の行間距離及び文字列における文字サイズを設定する設定処理と、今回に印刷する行の文字列の後に印刷すべき次の行の文字列が存在する場合に、前記今回の行の文字列に対しての印刷終了に基づいたタイミングで、前記設定処理で設定された前記行間距離及び前記文字サイズに基づいた所定の情報を報知する第１報知処理と、前記第１報知処理で前記所定の情報が報知される場合であって、前記今回の行の文字列に対しての印刷が終了してからの前記検出処理で検出される前記印刷媒体との間の行間方向における相対的な移動距離が、前記所定の情報に対応する距離に至った場合に、前記所定の情報に対応する距離に至ったことを報知する第２報知処理と、を含み、前記所定の情報は、前記次の行の文字列を印刷するために前記印刷装置を前記行間方向へ移動させるべき距離に係る情報である、ことを特徴とする。
また、本発明に係る第３の態様の印刷支援方法は、印刷媒体との間の所定の方向への相対移動に伴なわせて前記所定の方向に沿った文字列を印刷可能な印刷装置が実行する印刷支援方法であって、前記印刷媒体との間の相対的な移動距離を検出する検出処理と、複数行の文字列を前記所定の方向に沿って行毎に印刷する場合に、文字列における文字サイズを設定する設定処理と、今回に印刷する行の文字列の後に印刷すべき次の行の文字列が存在する場合に、前記今回の行の文字列に対しての印刷終了に基づいたタイミングで、前記設定処理で設定された前記文字サイズに基づいた所定の情報を報知する第１報知処理と、前記第１報知処理で前記所定の情報が報知される場合であって、前記今回の行の文字列に対しての印刷が終了してからの前記検出処理で検出される前記印刷媒体との間の行間方向における相対的な移動距離が、前記所定の情報に対応する距離に至った場合に、前記所定の情報に対応する距離に至ったことを報知する第２報知処理と、を含み、前記所定の情報は、前記次の行の文字列を印刷するために前記印刷装置を前記複数行の文字列の前記行間方向へ移動させるべき距離に係る情報である、ことを特徴とする。
【手続補正６】
【補正対象書類名】明細書
【補正対象項目名】０００８
【補正方法】変更
【補正の内容】
【０００８】
また、本発明に係る第１の態様のプログラムは、印刷媒体との間の所定の方向への相対移動に伴なわせて前記所定の方向に沿った文字列を印刷可能な印刷装置のコンピュータを、前記印刷媒体との間の相対的な移動距離を検出する検出手段、複数行の文字列を前記所定の方向に沿って行毎に印刷する場合に、隣接する文字列の行間距離を設定する設定手段、今回に印刷する行の文字列の後に印刷すべき次の行の文字列が存在する場合に、前記今回の行の文字列に対しての印刷終了に基づいたタイミングで、前記設定手段により設定された前記行間距離に基づいた所定の情報を報知する第１報知手段、前記第１報知手段により前記所定の情報が報知される場合であって、前記今回の行の文字列に対しての印刷が終了してからの前記検出手段により検出される前記印刷媒体との間の行間方向における相対的な移動距離が、前記所定の情報に対応する距離に至った場合に、前記所定の情報に対応する距離に至ったことを報知する第２報知手段、として機能させ、前記所定の情報は、前記次の行の文字列を印刷するために前記印刷装置を前記行間方向へ移動させるべき距離に係る情報である、ことを特徴とする。
また、本発明に係る第２の態様のプログラムは、印刷媒体との間の所定の方向への相対移動に伴なわせて前記所定の方向に沿った文字列を印刷可能な印刷装置のコンピュータを、前記印刷媒体との間の相対的な移動距離を検出する検出手段、複数行の文字列を前記所定の方向に沿って行毎に印刷する場合に、隣接する文字列の行間距離及び文字列における文字サイズを設定する設定手段、今回に印刷する行の文字列の後に印刷すべき次の行の文字列が存在する場合に、前記今回の行の文字列に対しての印刷終了に基づいたタイミングで、前記設定手段により設定された前記行間距離及び前記文字サイズに基づいた所定の情報を報知する第１報知手段、前記第１報知手段により前記所定の情報が報知される場合であって、前記今回の行の文字列に対しての印刷が終了してからの前記検出手段により検出される前記印刷媒体との間の行間方向における相対的な移動距離が、前記所定の情報に対応する距離に至った場合に、前記所定の情報に対応する距離に至ったことを報知する第２報知手段、として機能させ、前記所定の情報は、前記次の行の文字列を印刷するために前記印刷装置を前記行間方向へ移動させるべき距離に係る情報である、ことを特徴とする。
また、本発明に係る第３の態様のプログラムは、印刷媒体との間の所定の方向への相対移動に伴なわせて前記所定の方向に沿った文字列を印刷可能な印刷装置のコンピュータを、前記印刷媒体との間の相対的な移動距離を検出する検出手段、複数行の文字列を前記所定の方向に沿って行毎に印刷する場合に、文字列における文字サイズを設定する設定手段、今回に印刷する行の文字列の後に印刷すべき次の行の文字列が存在する場合に、前記今回の行の文字列に対しての印刷終了に基づいたタイミングで、前記設定手段により設定された前記文字サイズに基づいた所定の情報を報知する第１報知手段、前記第１報知手段により前記所定の情報が報知される場合であって、前記今回の行の文字列に対しての印刷が終了してからの前記検出手段により検出される前記印刷媒体との間の行間方向における相対的な移動距離が、前記所定の情報に対応する距離に至った場合に、前記所定の情報に対応する距離に至ったことを報知する第２報知手段、として機能させ、前記所定の情報は、前記次の行の文字列を印刷するために前記印刷装置を前記複数行の文字列の前記行間方向へ移動させるべき距離に係る情報である、ことを特徴とする。
【手続補正７】
【補正対象書類名】明細書
【補正対象項目名】０００９
【補正方法】変更
【補正の内容】
【０００９】
本発明によれば、印刷する際に複数行の文字列を揃え易くできるようにすることができる。
【手続補正８】
【補正対象書類名】特許請求の範囲
【補正対象項目名】全文
【補正方法】変更
【補正の内容】
【特許請求の範囲】
【請求項１】
印刷媒体との間の所定の方向への相対移動に伴なわせて前記所定の方向に沿った文字列を印刷可能な印刷装置であって、
前記印刷媒体との間の相対的な移動距離を検出する検出部と、
複数行の文字列を前記所定の方向に沿って行毎に印刷する場合に、隣接する文字列の行間距離を設定する設定部と、
今回に印刷する行の文字列の後に印刷すべき次の行の文字列が存在する場合に、前記今回の行の文字列に対しての印刷終了に基づいたタイミングで、前記設定部により設定された前記行間距離に基づいた所定の情報を報知する第１報知部と、
前記第１報知部により前記所定の情報が報知される場合であって、前記今回の行の文字列に対しての印刷が終了してからの前記検出部により検出される前記印刷媒体との間の行間方向における相対的な移動距離が、前記所定の情報に対応する距離に至った場合に、前記所定の情報に対応する距離に至ったことを報知する第２報知部と、
を備え、
前記所定の情報は、前記次の行の文字列を印刷するために前記印刷装置を前記行間方向へ移動させるべき距離に係る情報である、
ことを特徴とする印刷装置。
【請求項２】
印刷媒体との間の所定の方向への相対移動に伴なわせて前記所定の方向に沿った文字列を印刷可能な印刷装置であって、
前記印刷媒体との間の相対的な移動距離を検出する検出部と、
複数行の文字列を前記所定の方向に沿って行毎に印刷する場合に、隣接する文字列の行間距離及び文字列における文字サイズを設定する設定部と、
今回に印刷する行の文字列の後に印刷すべき次の行の文字列が存在する場合に、前記今回の行の文字列に対しての印刷終了に基づいたタイミングで、前記設定部により設定された前記行間距離及び前記文字サイズに基づいた所定の情報を報知する第１報知部と、
前記第１報知部により前記所定の情報が報知される場合であって、前記今回の行の文字列に対しての印刷が終了してからの前記検出部により検出される前記印刷媒体との間の行間方向における相対的な移動距離が、前記所定の情報に対応する距離に至った場合に、前記所定の情報に対応する距離に至ったことを報知する第２報知部と、
を備え、
前記所定の情報は、前記次の行の文字列を印刷するために前記印刷装置を前記行間方向へ移動させるべき距離に係る情報である、
ことを特徴とする印刷装置。
【請求項３】
印刷媒体との間の所定の方向への相対移動に伴なわせて前記所定の方向に沿った文字列を印刷可能な印刷装置であって、
前記印刷媒体との間の相対的な移動距離を検出する検出部と、
複数行の文字列を前記所定の方向に沿って行毎に印刷する場合に、文字列における文字サイズを設定する設定部と、
今回に印刷する行の文字列の後に印刷すべき次の行の文字列が存在する場合に、前記今回の行の文字列に対しての印刷終了に基づいたタイミングで、前記設定部により設定された前記文字サイズに基づいた所定の情報を報知する第１報知部と、
前記第１報知部により前記所定の情報が報知される場合であって、前記今回の行の文字列に対しての印刷が終了してからの前記検出部により検出される前記印刷媒体との間の行間方向における相対的な移動距離が、前記所定の情報に対応する距離に至った場合に、前記所定の情報に対応する距離に至ったことを報知する第２報知部と、
を備え、
前記所定の情報は、前記次の行の文字列を印刷するために前記印刷装置を前記複数行の文字列の前記行間方向へ移動させるべき距離に係る情報である、
ことを特徴とする印刷装置。
【請求項４】
前記第１報知部は、前記所定の情報とともに、前記次の行の文字列を印刷するために前記印刷装置を前記所定の方向に沿わせて移動させるべき距離に係る情報を報知する、
ことを特徴とする請求項１から３のいずれか１項に記載の印刷装置。
【請求項５】
印刷媒体との間の所定の方向への相対移動に伴なわせて前記所定の方向に沿った文字列を印刷可能な印刷装置が実行する印刷支援方法であって、
前記印刷媒体との間の相対的な移動距離を検出する検出処理と、
複数行の文字列を前記所定の方向に沿って行毎に印刷する場合に、隣接する文字列の行間距離を設定する設定処理と、
今回に印刷する行の文字列の後に印刷すべき次の行の文字列が存在する場合に、前記今回の行の文字列に対しての印刷終了に基づいたタイミングで、前記設定処理で設定された前記行間距離に基づいた所定の情報を報知する第１報知処理と、
前記第１報知処理で前記所定の情報が報知される場合であって、前記今回の行の文字列に対しての印刷が終了してからの前記検出処理で検出される前記印刷媒体との間の行間方向における相対的な移動距離が、前記所定の情報に対応する距離に至った場合に、前記所定の情報に対応する距離に至ったことを報知する第２報知処理と、
を含み、
前記所定の情報は、前記次の行の文字列を印刷するために前記印刷装置を前記行間方向へ移動させるべき距離に係る情報である、
ことを特徴とする印刷支援方法。
【請求項６】
印刷媒体との間の所定の方向への相対移動に伴なわせて前記所定の方向に沿った文字列を印刷可能な印刷装置が実行する印刷支援方法であって、
前記印刷媒体との間の相対的な移動距離を検出する検出処理と、
複数行の文字列を前記所定の方向に沿って行毎に印刷する場合に、隣接する文字列の行間距離及び文字列における文字サイズを設定する設定処理と、
今回に印刷する行の文字列の後に印刷すべき次の行の文字列が存在する場合に、前記今回の行の文字列に対しての印刷終了に基づいたタイミングで、前記設定処理で設定された前記行間距離及び前記文字サイズに基づいた所定の情報を報知する第１報知処理と、
前記第１報知処理で前記所定の情報が報知される場合であって、前記今回の行の文字列に対しての印刷が終了してからの前記検出処理で検出される前記印刷媒体との間の行間方向における相対的な移動距離が、前記所定の情報に対応する距離に至った場合に、前記所定の情報に対応する距離に至ったことを報知する第２報知処理と、
を含み、
前記所定の情報は、前記次の行の文字列を印刷するために前記印刷装置を前記行間方向へ移動させるべき距離に係る情報である、
ことを特徴とする印刷支援方法。
【請求項７】
印刷媒体との間の所定の方向への相対移動に伴なわせて前記所定の方向に沿った文字列を印刷可能な印刷装置が実行する印刷支援方法であって、
前記印刷媒体との間の相対的な移動距離を検出する検出処理と、
複数行の文字列を前記所定の方向に沿って行毎に印刷する場合に、文字列における文字サイズを設定する設定処理と、
今回に印刷する行の文字列の後に印刷すべき次の行の文字列が存在する場合に、前記今回の行の文字列に対しての印刷終了に基づいたタイミングで、前記設定処理で設定された前記文字サイズに基づいた所定の情報を報知する第１報知処理と、
前記第１報知処理で前記所定の情報が報知される場合であって、前記今回の行の文字列に対しての印刷が終了してからの前記検出処理で検出される前記印刷媒体との間の行間方向における相対的な移動距離が、前記所定の情報に対応する距離に至った場合に、前記所定の情報に対応する距離に至ったことを報知する第２報知処理と、
を含み、
前記所定の情報は、前記次の行の文字列を印刷するために前記印刷装置を前記複数行の文字列の前記行間方向へ移動させるべき距離に係る情報である、
ことを特徴とする印刷支援方法。
【請求項８】
印刷媒体との間の所定の方向への相対移動に伴なわせて前記所定の方向に沿った文字列を印刷可能な印刷装置のコンピュータを、
前記印刷媒体との間の相対的な移動距離を検出する検出手段、
複数行の文字列を前記所定の方向に沿って行毎に印刷する場合に、隣接する文字列の行間距離を設定する設定手段、
今回に印刷する行の文字列の後に印刷すべき次の行の文字列が存在する場合に、前記今回の行の文字列に対しての印刷終了に基づいたタイミングで、前記設定手段により設定された前記行間距離に基づいた所定の情報を報知する第１報知手段、
前記第１報知手段により前記所定の情報が報知される場合であって、前記今回の行の文字列に対しての印刷が終了してからの前記検出手段により検出される前記印刷媒体との間の行間方向における相対的な移動距離が、前記所定の情報に対応する距離に至った場合に、前記所定の情報に対応する距離に至ったことを報知する第２報知手段、
として機能させ、
前記所定の情報は、前記次の行の文字列を印刷するために前記印刷装置を前記行間方向へ移動させるべき距離に係る情報である、
ことを特徴とするプログラム。
【請求項９】
印刷媒体との間の所定の方向への相対移動に伴なわせて前記所定の方向に沿った文字列を印刷可能な印刷装置のコンピュータを、
前記印刷媒体との間の相対的な移動距離を検出する検出手段、
複数行の文字列を前記所定の方向に沿って行毎に印刷する場合に、隣接する文字列の行間距離及び文字列における文字サイズを設定する設定手段、
今回に印刷する行の文字列の後に印刷すべき次の行の文字列が存在する場合に、前記今回の行の文字列に対しての印刷終了に基づいたタイミングで、前記設定手段により設定された前記行間距離及び前記文字サイズに基づいた所定の情報を報知する第１報知手段、
前記第１報知手段により前記所定の情報が報知される場合であって、前記今回の行の文字列に対しての印刷が終了してからの前記検出手段により検出される前記印刷媒体との間の行間方向における相対的な移動距離が、前記所定の情報に対応する距離に至った場合に、前記所定の情報に対応する距離に至ったことを報知する第２報知手段、
として機能させ、
前記所定の情報は、前記次の行の文字列を印刷するために前記印刷装置を前記行間方向へ移動させるべき距離に係る情報である、
ことを特徴とするプログラム。
【請求項１０】
印刷媒体との間の所定の方向への相対移動に伴なわせて前記所定の方向に沿った文字列を印刷可能な印刷装置のコンピュータを、
前記印刷媒体との間の相対的な移動距離を検出する検出手段、
複数行の文字列を前記所定の方向に沿って行毎に印刷する場合に、文字列における文字サイズを設定する設定手段、
今回に印刷する行の文字列の後に印刷すべき次の行の文字列が存在する場合に、前記今回の行の文字列に対しての印刷終了に基づいたタイミングで、前記設定手段により設定された前記文字サイズに基づいた所定の情報を報知する第１報知手段、
前記第１報知手段により前記所定の情報が報知される場合であって、前記今回の行の文字列に対しての印刷が終了してからの前記検出手段により検出される前記印刷媒体との間の行間方向における相対的な移動距離が、前記所定の情報に対応する距離に至った場合に、前記所定の情報に対応する距離に至ったことを報知する第２報知手段、
として機能させ、
前記所定の情報は、前記次の行の文字列を印刷するために前記印刷装置を前記複数行の文字列の前記行間方向へ移動させるべき距離に係る情報である、
ことを特徴とするプログラム。